(57)【要約】【課題】設定したドラグ力の正確且つ安定したドラグ性能維持と良好なスプールフリー性能が得られる魚釣用両軸受型リールを提供することを目的とする。【解決手段】スプール８を回転自在に支持するスプール軸６上の軸受１０ａ、１０ｂ間にカラー２５を配設し、調節部材１６の操作に伴う押圧力を、軸受１０ａ、１０ｂとカラー２５を介してスプール軸６上に回り止めされたドラグディスク２１、２２とスプール８に設けた制動部２０に伝達作用させると共に、軸受１０ａ（１０ｂ）とスプール８との間に弾性部材Ｓを介在させてスプール８の軸方向の自由動を、弾性部材Ｓの弾性力で抑制したことを特徴とする。【選択図】        図２
2006075108.tif 000002
【特許請求の範囲】
【請求項１】
リール本体に支持されたスプール軸上に複数の軸受を介して回転可能に支持されたスプールを有すると共に、前記スプールに設けられた制動部と、前記スプール軸上に回り止め支持されたドラグディスクと、前記制動部とドラグディスクとの間で生じる摩擦結合力を調節する調節部材を、前記リール本体に備えたドラグ機構を有する魚釣用両軸受型リールにおいて、前記軸受間にカラーを配設して前記調節部材の操作に伴う押圧力を、前記軸受とカラーを介して前記ドラグディスクと制動部に伝達作用させると共に、前記軸受とスプールとの間に弾性部材を介在させて該スプールの軸方向の自由動を、前記弾性部材の弾性力で抑制したことを特徴とする魚釣用両軸受型リール。
【発明の詳細な説明】
【技術分野】
【０００１】
本発明は、スプール軸とスプールとの間で制動力を発生させるドラグ機構を備えた魚釣用両軸受型リールに関する。
【背景技術】
【０００２】
上記した魚釣用両軸受型リールとして、例えば、特許文献１で開示されているように、リール本体の一方の側板に設けたレバーを所定角度、回動させることによって発生する軸方向の押圧力を、スプール軸とスプールとの間に介在された軸受を経由してスプールに伝達し、スプールを摩擦板に対して圧接させて所定のドラグ力を得るようにした、いわゆるレバードラグ機構を備えた構成が知られている。
【０００３】
しかしながら、特許文献１に開示されているレバードラグ機構は、レバーの回動によって発生した押圧力が、一方の軸受からスプールに伝達し、そして、スプールから他方の軸受を介して摩擦結合部に作用してドラグ力を発生する構成のため、スプールに軸受を押し付ける抵抗が加わってしまい、スムースに釣糸を引き出せなかったり、仕掛けに不安定な張力が作用してしまったり、又、軸受の摩耗を促進してしまう等、好ましくない。
【０００４】
そこで、スプール軸の両軸受間にカラーを介在し、レバーを操作することによって発生する押圧力を、スプールを介在することなく、軸受とカラーを介して摩擦結合部に作用させてドラグ力を得るようにしたものが、特許文献２で提案されている。
【特許文献１】特開昭５８−１４６２２６号公報
【特許文献２】特開２００３−２５０４０６号公報
【発明の開示】
【発明が解決しようとする課題】
【０００５】
特許文献２のレバードラグの構成にすることで、従来一般的に知られている特許文献１で開示されるドラグ機構の軸受抵抗による不具合は解消されてドラグ力がスプールに確実に作用し、安定したドラグ性能の実現を可能とすることができる。
【０００６】
しかしながら、スプールと軸受との間に軸方向の押圧力が作用しないように一方のハンドル側の軸受とスプールの軸方向には、隙間が形成されているが、実釣時において、リール本体は傾いた状態で使用されることが多いが、傾くことによってスプール自体の重さでスプールが隙間分、軸方向に移動してしまう結果、スプールと一体の制動部が、ドラグディスクのライニング材に接触摩擦してしまい、スプールフリー性能が悪くなるという問題が生じる。
【０００７】
本発明は、上記した問題に基づいてなされたものであり、安定したドラグ性能と良好なスプールフリー性能が得られる魚釣用両軸受型リールを提供することを目的とする。
【課題を解決するための手段】
【０００８】
上記した目的を達成するために、本発明に係わる魚釣用リールは、リール本体に支持されたスプール軸上に複数の軸受を介して回転可能に支持されたスプールを有すると共に、前記スプールに設けられた制動部と、前記スプール軸上に回り止め支持されたドラグディスクと、前記制動部とドラグディスクとの間で生じる摩擦結合力を調節する調節部材を、前記リール本体に備えたドラグ機構を有する魚釣用両軸受型リールにおいて、前記軸受間にカラーを配設して前記調節部材の操作に伴う押圧力を、前記軸受とカラーを介して前記ドラグディスクと制動部に伝達作用させると共に、前記軸受とスプールとの間に弾性部材を介在させて該スプールの軸方向の自由動を、前記弾性部材の弾性力で抑制したことを特徴とする。
【０００９】
上記した構成によれば、調節部材を操作し、軸受とカラーを介してドラグディスクと制動部に伝達作用する押圧力を解除しても、軸受とスプールとの間に介在した弾性部材の弾性力によって、リール本体の傾きによるスプールの軸方向の不要な自由動を抑制できて制動部とドラグディスクの接触が防止されることにより、良好なスプールフリー性能が得られる。
【発明の効果】
【００１０】
本発明の構成によれば、安定したドラグ性能が得られると共に、スプールの不要なガタ付きが抑えられるので、実釣時においてリール本体の傾きの影響受けることなく、良好なスプールフリー性能が得られる。
【発明を実施するための最良の形態】
【００１１】
以下、本発明に係わる魚釣用両軸受型リールの実施の形態について、添付図面を参照して具体的に説明する。
図１〜図３は、本発明の第１の実施形態を示す図であり、図１は内部構成を示す図、図２は、ドラグ機構を拡大して示す図であり、図３は主要部（図２の点線円）の拡大図である。
【００１２】
魚釣用両軸受型リールのリール本体１は、複数の支柱２ａ，２ｂ…を介して一体化されたリール枠体２と、このリール枠体２の両側において、所定の空間をもって装着される左右側板３ａ，３ｂとを備えており、下方の支柱２ｂには、釣竿のリールシートに装着されるリール脚部４が取り付けられている。
【００１３】
左右側板３ａ，３ｂ間には、軸受５ａ，５ｂを介してスプール軸６が回転可能で軸方向に移動可能に支持されており、スプール軸６には、釣糸が巻回されるスプール８が取り付けられている。この場合、軸受５ａ，５ｂは、リール枠体部分に配設されていても良いし、側板部分に配設されていても良い。また、スプール軸６とスプール８との間には、その両端部において、転がり式の軸受１０ａ，１０ｂが配設されており、スプール８は、スプール軸６に対してフリー回転可能に支持されている。なお、後述するように、押圧力が作用する側のハンドル側の一方の軸受１０ｂは、スプール８との間で予め軸方向に隙間Ｃが形成されるように配設されている。
【００１４】
前記スプール軸６には、ハンドル軸１２に取り付けられた駆動ギヤ１２ａと噛合するピニオン６ａが、軸方向に移動不能で回り止め固定されており、ハンドル軸１２に装着されたハンドル１３を回転操作することによって、スプール軸６は駆動ギヤ１２ａ及びピニオン６ａを介して回転できるように構成されている。なお、ピニオン６ａと軸受１０ｂとの間には、ドラグ力の調整範囲を得るための押圧バネ１４が介在されている。
更に、本発明は、一方の軸受１０ｂの反ハンドル側の外輪側部とスプール８の軸受収容部８ａの壁部８ｂとの間に形成される隙間Ｃに弾性部材Ｓ（ウェーブ板ばねやコイルスプリング等の弾性部材）が介在されており、調節部材１６の戻し回転操作で押圧力が解除された時のスプール８の不要な軸方向の移動を抑える役目を果たすもので、後述するようにスプール８のフリー性能の向上を図るべく構成されている。
【００１５】
前記スプール軸６とスプール８との間には、スプール８から釣糸が繰り出された際に制動力を付与するドラグ機構１５が配設されており、右側板側に配設された調節部材１６，１７を回動操作することで、ドラグ力が調節されるようになっている。この場合、調節部材１６は粗調節用、調節部材１７は微調節用として構成されている。
【００１６】
次に、上記したドラグ機構１５の構成について説明する。前記スプール８の左側板側の端面には、複数の止めビス２０ａによって環状の制動部（ドラグワッシャ）２０が設けられており、この制動部を挟持するようにして、ドラグディスク（ドラグ押圧部材）２１，２２がスプール軸６に回り止め支持されている。各ドラグディスクには、前記制動部２０と対向するように、ライニング材２１ａ，２２ａが取着されると共に、ディスク間にはバネ２４が介在されている。この場合、内側のドラグディスク２２は、前記軸受１０ａの内輪部分に当接すると共に、軸方向に移動可能に配設されている。
【００１７】
前記スプール軸上６の外周の軸受１０ａ，１０ｂ間には、カラー２５が回転可能に配設されており、前記調節部材１６，１７を回動操作した際、その回動操作による軸方向へ作用する押圧力を、スプール８を経由させることなく、カラー２５を介して前記ドラグディスク２２に伝達するようになっている。
【００１８】
また、前記右側板３ｂと、スプール軸６との間には、調節部材１６，１７を回動操作した際、その回動角度に応じて、前記軸受５ｂを制動部２０側に移動させる移動部材が配設されている。
【００１９】
この移動部材は、右側板３ｂに嵌入、固定され、外周の一部に軸方向に延出する案内溝３０ａが形成された軸受筒３０と、その軸受筒３０の内側に配設され、調節部材１６の回動操作によって一体的に回動すると共に、前端部にカム面が形成されたカム筒３２とを備えており、このカム筒３２には、その内部に入り込むようにして、軸方向に移動可能な軸受ケース３５が配設されている。
【００２０】
そして、この軸受ケース３５には、径方向外側に突出して前記案内溝３０ａ内に位置すると共に、カム筒３２に形成されたカム面と当接するピン３５ａと、径方向内側に突出するピン３５ｂが形成されており、このピン３５ｂには、スプール軸６に設けられ、かつ軸受５ｂに当接する筒体３７が係合している。なお、この筒体３７の後端面には、微調節用のカム面が形成されており、前記微調節用の調節部材１７を回動操作した際、そのカム作用によって、筒体３７は軸受５ｂ側に微動するように構成されている。
【００２１】
以上のように構成されたドラグ機構１５の動作について説明する。図１及び図２に示した状態において、粗調節用の調節部材１６を回動操作すると、それに伴いカム筒３２が回動され、その前面に形成されたカム面及びピン３５ａによって軸受ケース３５が軸方向に移動される。これにより、軸受５ｂは、ピン３５ｂ及び筒体３７を介して制動部２０側に押圧され、この押圧力はピニオン６ａに伝達されて、スプール軸６がピニオン６ａと共に移動する。
【００２２】
このスプール軸６の移動により、ピニオン６ａと軸受１０ｂとの間に介在されているバネ１４が圧縮され、軸受１０ｂは制動部２０側に押圧される。そして、この押圧力は、カラー２５及び軸受１０ａを経由してドラグディスク２２に伝えられる。なお、上記した軸受１０ｂの反ハンドル側の側部とスプール８の軸受収容部８ａの壁部８ｂとの間に形成されている隙間Ｃは、調節部材１６を最大限に回動操作しても、当接しない程度に設定され、この隙間Ｃにスプリング材Ｓが介在されている。
【００２３】
以上のようにスプール側内側のドラグディスク２２が押圧されることで、スプール８に設けられた制動部２０がライニング材２１ａ，２２ａによって挟着され、スプール８とスプール軸６との間には、スプールの釣糸繰り出し方向への回転に対して所定のドラグ力が作用するようになる。
【００２４】
なお、微調節用の調節部材１７を回動操作した場合は、そのカム面によって、筒体３７は、直接、制動部側に微動されるようになっており、上記した経路と同様な経路によって、所定のドラグ力（微調節されたドラグ力）が作用するようになる。また、上記した調節部材１６、もしくは調節部材１７を回動操作して最初の位置に戻すと、バネ１４，２４の付勢力によって、ドラグ機構１５は、図１及び図２に示すような制動部２０とライニング材２１ａ，２２ａが互いに離間した非接触状態になり、スプール８は制動力が作用しないスプールフリー状態、つまり、非ドラグ作動状態に戻される。
【００２５】
上記した構成によれば、以下のような作用効果が得られる。スプール８に対する制動力を調節するに際し、調節部材１６，１７の回動操作に伴う押圧力はカラー２５を介して伝達されるため、スプール８と軸受１０ａ，１０ｂとの間には押圧力が作用しなくなる。この結果、ドラグの効いた状態時における釣糸繰り出し方向へのスプール回転時に、ドラグ力以外の抵抗力が加わることが無くなり、設定したドラグ力がスプールに確実に作用してドラグによる釣糸繰り出し方向へのスプール制動が正確に行なえるようになる。従って、釣糸に不必要の張力を付加することが無くなり、仕掛けの切断や魚の身切れ等のトラブルによるバラシが解消され、確実に釣果を伸ばすことが可能となる。
又、軸受１０ａ，１０ｂの内、外輪に逆方向の軸方向の力が作用しないので、転がり軸受の耐久性が向上する。
【００２６】
そして、本発明は更に、一方の軸受１０ｂの反ハンドル側側部とスプール８の軸受収容部８ａの壁部８ｂとの間に弾性部材Ｓを介在させてスプール８の軸方向の不要な移動（リール本体の傾きで発生）を、弾性部材Ｓの弾性力を利用して抑制する構成としたので、軸受１０ｂの回転に影響を及ぼすことなく、スプール８の軸方向のガタ付きを抑えて制動部２０とライニング材２１ａ，２２ａとが弾性部材Ｓの弾性力で接触摩擦しない方向に付勢されて離間状態を保持できように構成されている。そのため、調節部材１６を戻し操作してドラグ機構１５が作動しない状態下でリール本体が傾いても、不要な接触抵抗を受けることなく、良好なスプール８のフリー回転状態が得られる。尚、弾性部材Ｓの弾性力は、釣糸が巻回されたスプール自重を支える程度（リール本体を傾けても、スプールが軸方向に移動しない程度の保持力）に、設計段階でリールサイズに応じて適宜設定されものである。
【００２７】
なお、上述したドラグ押圧部材２１には、設定したドラグ力を超えた力がスプール８に作用したとき、スプールの釣糸放出方向への回転を防止する機能を果たす逆転防止機構４０が設けられている。この場合、逆転防止機構は、ドラグ押圧部材２１の径方向外側に配設される爪車４５及びそれに係合するストッパ４６とによって構成されている。
【００２８】
爪車４５は、それに係合するストッパ４６との関係において、スプール８が釣糸放出方向に回転した際、それと共に回転するドラグ押圧部材２１の回転を阻止し、かつスプール８が釣糸巻取り方向に回転した際、それと共に回転するドラグ押圧部材２１の回転を許容するような爪形状を備えて構成されている。
【００２９】
図４は、本発明の第２の実施形態を示す図で、ドラグ機構を拡大して示した図、図５は主要部の拡大図である。尚、以下に説明する実施形態では、上記した実施形態と同一の構成部分については、同一の参照符号を付して詳細な説明は省略する。
【００３０】
この実施形態では、スプール８とスプール軸６との間に配置される前記一方の軸受１０ｂとは異なる、反ハンドル側の他方の軸受１０ａのハンドル側の外輪側部とスプール８の軸受収容部８ａの壁部８ｂとの間に形成される隙間Ｃに弾性部材Ｓが介在されており、前記第１の実施形態と同様に、スプール８の軸方向のガタ付きを抑えて、制動部２０とライニング材２１ａ、２２ａとが接触摩擦しない離間状態を保持できるもので、ドラグ機構１５が作動しない良好なスプール８のフリー回転状態が得られる。
【００３１】
以上、本発明の実施形態について説明したが、上記した調節部材１６、１７により、スプール軸６を反ハンドル側に押圧移動する方式に変えて、公知のようなハンドル側にスプール軸を押圧移動させる方式であっても良い。また、弾性部材Ｓは、図示の環状の板ばね（ウェーブワッシャ）以外にコイルスプリングや弾性作用するのであれば、ゴム材であっても良い。
【図面の簡単な説明】
【００３２】
【図１】本発明に係わる魚釣用両軸受型リールの第１の実施形態を示す図であり、その内部構成を示す図。
【図２】ドラグ機構を拡大して示す図。
【図３】主要部（図２の点線円）の拡大図。
【図４】本発明に係わる魚釣用両軸受型リールの第２の実施形態を示す図であり、その内部構成を示す図。
【図５】主要部（図４の点線円）の拡大図。
【符号の説明】
【００３３】
１      リ−ル本体
６      スプール軸
８      スプール
１０ａ、１０ｂ    軸受
１５    ドラグ機構
１６    調節部材
２０    制動部
２１、２２    ドラグディスク
２５    カラー
Ｓ    弾性部材
【図１】
2006075108.tif 000003
【図２】
2006075108.tif 000004
【図３】
2006075108.tif 000005
【図４】
2006075108.tif 000006
【図５】
2006075108.tif 000007